(57)【要約】【課題】【解決手段】光ガイド、特にオプティカルファイバー、好ましくはグラスファイバーを保持する装置は、ａ１）光ガイドのための開口部もしくは通路が形成され、正逆方向に変形可能な内側軸受部と、ａ２）この内側軸受部よりも変形しない外側軸受部とを有するａ）少なくとも１つの軸受（７０）を有し、ｂ）内側軸受部と外側軸受部とは、内側軸受部が変形しながら光ガイドが軸受内で動かされ得るように形成され、配置されている。このような光ガイドの動きは、外側軸受部によって制限されている。
2004533642.tif 000002
【特許請求の範囲】
【請求項１】
光ガイド、特にオプティカルファイバー、好ましくはグラスファイバーを保持するための装置であって、
ａ１）光ガイドのための開口部もしくは通路が形成された正逆方向に変形され得る内側軸受部と、
ａ２）この内側軸受部よりも変形されない外側軸受部とを有する、
ａ）少なくとも１つの軸受を具備し、
ｂ）前記内側軸受部と外側軸受部とは、内側軸受部が変形することによって光ガイドが軸受内で動かされ得るように形成及び配置され、このような光ガイドの動きは、外側軸受部によって制限される装置。
【請求項２】
前記軸受の一側で光ガイドが湾曲もしくは変位されると、内側軸受部が変形し、前記軸受の他側において、内側軸受部とは反対の方向に、光ガイドが湾曲もしくは変形する請求項１の装置。
【請求項３】
前記軸受は、光ガイドのためのピボット領域を提供する請求項１もしくは２の装置。
【請求項４】
前記光ガイドは、軸受の外に移動されると、軸受内の、基本的に移動方向を含むピボット面内でピボット運動する請求項３の装置。
【請求項５】
前記光ガイドは、オフセットもしくはゼロの位置で、内側軸受部が全く、もしくは、最小限しか変形しない状態で、内側軸受部の開口部もしくは通路内に保持されている前記全ての請求項のうちのいずれか１の装置。
【請求項６】
前記光ガイドは、少なくともオフセットもしくはゼロの位置で、好ましくは、全ての位置で、内側軸受部の開口部もしくは通路内に受動的に保持されている請求項５の装置。
【請求項７】
前記開口部もしくは光ガイドは、オフセットもしくはゼロの位置で、特に内側軸受部の中央部において外側軸受部から離間されている請求項５もしくは６の装置。
【請求項８】
前記光ガイドは、オフセットもしくはゼロの位置で、軸受を通る直線の長軸に沿って縦方向に延び、好ましくは、前記内側軸受部は、長軸に対して、少なくとも実質的に横方向に、もしくは、直交するように延びている請求項５乃至７のいずれか１の装置。
【請求項９】
前記内側軸受部の、光ガイドに接触する接触領域の長さは、内側軸受部内で縦方向に延びた光ガイドに沿って測定すると、内側軸受部の開口部もしくは通路の直径よりも小さく、並びに／もしくは、特に少なくとも１．５だけ、好ましくは少なくとも２だけ、光ガイドの直径よりも小さい前記全ての請求項のうちのいずれか１の装置。
【請求項１０】
少なくとも、内側軸受部内で長手方向に延びた光ガイドに直交する方向において、前記内側軸受部の外径と幅は、特に少なくとも１．５だけ、好ましくは少なくとも２だけ、開口部もしくは光ガイドの直径よりも大きい前記全ての請求項のうちのいずれか１の装置。
【請求項１１】
前記外側軸受部には、内側軸受部を保持するための少なくとも１つの側部と、光ガイドの動きを制限するために内側軸受部に対して長手方向に変位された少なくとも１つの前部とが設けられている前記全ての請求項のうちのいずれか１の装置。
【請求項１２】
前記外側軸受部は、光ガイドのための、湾曲した止め面を有する前記全ての請求項のうちのいずれか１の装置。
【請求項１３】
前記軸受は、２つに分かれた軸受部（７１、７２）から成る前記全ての請求項のうちのいずれか１の装置。
【請求項１４】
前記内側軸受部全体と、外側軸受部の第１の部分とは、前記２つの軸受部の一方に、これと共に、もしくは、これの中に形成され、外側軸受部の第２の部分は、前記軸受部の他方に、これと共に、もしくは、これの中に形成されている請求項１３の装置。
【請求項１５】
前記内側軸受部の開口部もしくは通路は、光ガイドのためのガイド通路によって内側軸受部の周辺領域に接続され、ガイド通路は、好ましくは、開口部もしくは通路よりも小さな幅もしくは直径を有する請求項１４の装置。
【請求項１６】
前記軸受部の第２の部分には、第１の部分のガイド通路の中に挿入され得る、もしくは、挿入された突出部が設けられている請求項１５の装置。
【請求項１７】
前記各軸受部は、対応する軸受保持部内に保持されている請求項１３乃至１６のいずれか１の装置。
【請求項１８】
前記内側軸受部及び外側軸受部、並びに／もしくは、前記２つの軸受部の各々は、エラストマー、特に熱可塑性エラストマーでできており、並びに／もしくは、射出成形、特に、両面射出成形されている前記全ての請求項のうちのいずれか１の装置。
【請求項１９】
前記内側軸受部は、２０乃至９０のShore A値を有する前記全ての請求項のうちのいずれか１の装置。
【請求項２０】
光ガイドを軸受の一側に装着するための装着手段（３）を更に具備し、この装着手段は、軸受から離間されている前記全ての請求項のうちのいずれか１の装置。
【請求項２１】
互いに離間された光ガイドのための複数の軸受を有する、前記全ての請求項のうちのいずれか１の装置。
【発明の詳細な説明】
【技術分野】
【０００１】
本発明は、電気信号処理装置に光電変換器を配置させる装置に関する。
【背景技術】
【０００２】
ケーブルテレビジョンシステム（ケーブルTVシステム）では、ケーブルテレビジョンの供給者即ちプロヴァイダーから多様なＴＶの利用者コミュニティへと、電気同軸ケーブルもしくはグラスファイバーを有する光学ケーブルを介してテレビジョン信号が送信される。広範な帯域幅を得るために、光学ケーブル即ち繊維を介した光学的な伝送が一般的になってきている。しかし、CATVコミュニティ内では、ビルディング内に既に据え付けられている電気同軸ケーブルがまだ使用されている。かくして、光学ケーブルを介して伝送される振幅変調（AM）光学テレビジョン信号は、PINフォト検出器ダイオードもしくはフォトダイオードなどの光電（もしくは、光電気、光電子）変換器によって、対応する無線周波数（高周波数）の電気テレビジョン信号に変換されなくてはならない。
【０００３】
光電変換器の電気出力部は、変換器の出力部で、変換された電気信号を増幅させるために、電気的なCATV増幅器に装着されているか、電気接続されている。変換器は、保護ハウジング内に配置されている。
【０００４】
更に、光電変換器は、変換器の光学入力部に光学信号を伝えるために、オプティカルファイバー、典型的にはグラスファイバーの端部に取着接続されている。
【０００５】
電気増幅器と光電変換器とを有するCATV光学受信モジュール内で使用される光電子変換器が、米国特許No.５、６２７、５３１Ａに開示されている。この公知の光電子変換器は、セラミック材料でできた光学装置キャリヤーに装着されたフォトダイオードや発光ダイオードもしくはレーザなどの光学装置を有し、更に、光学的な単一モード繊維もしくはマルチモード繊維が半田付けもしくは接着剤を用いて取り付けられて固定される溝を備えた繊維キャリヤーを有する。繊維キャリヤーには、反射面が設けられ、この反射面がオプティカルファイバー及び光学装置と揃えられるように光学装置キャリヤーに接続されている。
【０００６】
この公知の光電子変換器は、従来のケーブルTVの使用において光学信号を電気信号に変換するため、または、最近の対話型即ち双方向ケーブルテレビシステムにおいて、電気信号を光学信号に変換して、TV利用者からTVのプロヴァイダーへと逆方向に信号を伝送可能にするためのどちらの目的でも使用され得る。被包性の光学装置の型は必要な信号の方向による。
【０００７】
当分野では、CATV増幅器の基板にグラスファイバーを有する光電変換器を取り付けるためのいくつかの方法と装置とが知られている。
【０００８】
基板に半田付けされた変換器キャリヤーとして機械的な金属クランプに光電変換器を半田付けすることによってこれを基板上に装着することが公知である。
【０００９】
光電変換器を基板に取り付けるその他の特定の方法には、変換器と好ましくはオプティカルファイバーとをプラスチックのキャリヤーに、キャリヤーを基板に接着するための、UV治癒樹脂もしくは熱硬化樹脂等の接着剤の利用などがある。
【発明の開示】
【発明が解決しようとする課題】
【００１０】
従来技術に係る変換器に接続されたオプティカルファイバーは、変換器のための保護ハウジングの開口部に通され、この保護ハウジングの開口部内に受動的に、かつ堅く保持された堅いゴムブーツによって保護されている。オプティカルファイバーのためのこのような非可撓性の保持装置もしくは軸受は、引っ張りストレスを吸収し、保護ハウジングの外の繊維の曲げがハウジング内の繊維の曲げを招くことがなく、かくして、繊維もしくは変換器もしくは繊維間の接続部とハウジング内の変換器に対して損傷を与えることが防止されるという利点を有する。しかし、繊維がハウジングの外で曲げられているとき、繊維の軸受の部分で高い曲げストレスが発生され、軸受の外付近で繊維が傷つけられたり、破壊されたりする可能性がある。従って、光学受信器のアッセンブリーでは、オプティカルファイバーの最大許容範囲を超えた曲げを避けることができず、これが製造プロセス中の損失につながる。同様の問題が、他の応用例では、光ガイド即ちオプティカルファイバーの操作に伴って生じる。
【００１１】
かくして、本発明の目的は、光ガイド、特にオプティカルファイバー、好ましくはグラスファイバーを保持する装置を提供することであり、これによって、曲げによる繊維の損傷を減じる。
【課題を解決するための手段】
【００１２】
この目的及び他の目的は、本発明に係れば、請求項１の特徴によって果たされる。
【００１３】
請求項１の装置は、光ガイド、特にオプティカルファイバー、好ましくはグラスファイバーを保持するために適合されており、この装置は、
ａ１）光ガイドのための開口部もしくは通路が形成され、正逆方向に（reversibly）変形され得る内側軸受部と、
ａ２）この内側軸受部よりも変形されない外側軸受部とを有する、
ａ）少なくとも１つの軸受を有し、
ｂ）内側軸受部と外側軸受部とは、内側軸受部が変形することによって光ガイドが軸受内で動かされ、このような光ガイドの動きが、外側軸受部によって制限され、外側軸受部、即ち、外側軸受は、光ガイドの運動の止め部として機能するように形成及び配置されている。
【００１４】
用語“光学”もしくは“光”は、可視スペクトルだけでなく、膨張スペクトルをも含む。用語“光ガイド”は、特に単一のオプティカルファイバー、コーティングされたもしくはされていないオプティカルファイバーの束、ジャケット並びに／もしくはクレディング（cleddings）もしくは任意のタイプの光学ケーブルとを含む。
【００１５】
本発明は、光ガイドのための可撓性を有するか変形可能な保持部を提供するという第１の事項に基づいており、これによって、光ガイドは、保持部内を横方向に変位され得る。変形性とは、この保持部の所定の変形が、光ガイドの変形が反転されたときに反転されるように、反転可能なことである。反転可能に変形され得る保持部は、光ガイドのための軸受の内側軸受部によって形成されている。光ガイドは、内側軸受部の通路もしくは開口部内を通って中に保持される。
【００１６】
更に、本発明は、光ガイドの動き、特に横方向の動きを止めるための止め部を提供することによって光ガイドの制限された動きのみを可能にするという第２の事項に基づいている。この止め部は、光ガイドが内側軸受部を変形させて外側軸受部に到達したときもここで止められ得るように内側軸受部よりも変形しないようにされた軸受の外側軸受部によって形成されている。
【００１７】
かくして、光ガイドは、装置内に固く保持されないが、装置内の予め制限された許容範囲内で止められる。即ち、従来技術と比較すると、本発明に係る装置によって、光ガイドには、更に機械的な自由度が与えられている。光ガイドが軸受の一側で曲げられている場合、このような曲げが、少なくとも軸受内の光ガイドの動きを生じ、これによって、光ガイドの曲げストレスを減じる。
【００１８】
所定の最小限に可能な曲げ曲率もしくは最大の曲げ半径を有する光ガイドについて、従来技術を超える利点を以下に説明する。
【００１９】
光ガイドの同様の変位については、軸受から同じ距離のところでの光ガイド上もしくは内の曲げストレスは、従来技術の装着された軸受と比べて、大幅に減じられている。
【００２０】
また、軸受から同じ距離のところでの光ガイド内の同様の曲げストレスについては、本発明に係る軸受内に保持された光ガイドの（可能な）変位は、従来技術よりも大きい。
【００２１】
光ガイドの１つの位置即ちポイントでの曲げ曲率は、通常は、光ガイドの長手方向の軸に沿った光ガイドの第２の誘導位置によって規定され、曲率半径もしくは曲げ半径は、通常は、湾曲の往復値として規定される。
【００２２】
本発明の好ましい実施形態と応用例は、請求項１に係る従属請求項で述べられている。
【００２３】
軸受の一側で光ガイドが変位すると、特に、曲がるように横方向に変位すると、好ましくて効果的な実施形態では、内側軸受部の変形に対して、軸受の他側での光ガイドの曲げもしくは変位が生じる。特に、他側での光ガイドの変位は、第１の側の変位の反対に向かい、かくして、光ガイドの曲げ曲率は、従来技術と比べて減じられる。
【００２４】
特に、軸受は、光ガイドのためのピボット領域として説明され得る。かくして、光ガイドが軸受の一側で曲げられるか変形されたとき、光ガイドは、レバーのように、軸受内で光軸に沿ってピボット運動する。この機能はまた、光ガイドが軸受内もしくはこれの周囲でこれの長手方向もしくは光軸に沿って幾分回転することから、“回転の中心”とも呼ばれる。通常は、軸受内の光ガイドのピボット運動もしくは回転運動が、軸受の外で変位の方向を含む回転面で行われる。
【００２５】
オフセット位置もしくはゼロ位置と呼ばれる通常の位置で、光ガイドは、内側軸受部が変形されないか最小限だけ変形されながら、内側軸受部の開口部内に位置される。かくして、内側軸受部によって光ガイドに発生される再調節力は、バランスの取れた状況下の通常の位置では最小であるか、実質的にゼロである。
【００２６】
好ましくは、光ガイドは、内側軸受部内で、受動的に、もしくは、予めストレス下に保持され、これによって、所定の位置、並びに／もしくは、内側軸受部が光ガイドを封入するときにはこれの周囲を規定し、光ガイドのためのシールを形成する。
【００２７】
更に、光ガイドは、好ましくは、通常の位置で外側軸受部から離間され、特に、軸受の中央領域内に保持される。
【００２８】
効果的な実施形態では、通常の位置で、光ガイドは、軸受を通って直線の長手方向軸に沿って長手方向に延びている。かくして、光ガイドは、内側軸受部を通って直線に沿ってアラインメントされる。好ましくは、内側軸受部は、この長手方向の軸に対して少なくともほぼ横方向に、もしくは、直交するように延びている。
【００２９】
内側軸受部が光ガイドと接触される接触領域は、好ましい実施形態で、特に少なくとも１．５だけ、好ましくは少なくとも２だけ（by a factor of at least 1.5,preferably at least 2）、内側軸受部の開口部もしくは通路の直径よりも短く、並びに／もしくは、光ガイドの直径よりも短い長手方向の延長部を有する。
【００３０】
この応用例における用語“直径”は、断面の最も大きな延長部であることを意味しているが、必ずしも、ただ１つの直径を有する円形断面に制限されない。
【００３１】
特に、内側軸受部は、膜として成形され得るか、膜特性を与えられ得る。
【００３２】
内側軸受部の、光ガイドのための接触領域もしくは開口部もしくは通路からの長手方向外方への延長部の長さは、様々でよく、特に長くなってよい。
【００３３】
他の好ましい実施形態では、内側軸受部内の光ガイドの長手方向の延長部に直交する少なくとも１つの方向における内側軸受部の幅もしくは外径は、少なくとも１．５だけ、特に少なくとも２だけ、開口部もしくは光ガイドの直径もしくは最大直径よりも大きい。
【００３４】
外側軸受部には、効果的な実施形態では、内側軸受部と、この内側軸受部に対して長手方向に変位される少なくとも１つの前部とを保持するための少なくとも１つの側部が設けられており、この側部は、光ガイドの動きを制限する。かくして、光ガイドの最大の曲げは、最初に、前部によって止められ、内側軸受部にかかる圧力もしくは圧迫を減じる。
【００３５】
外側軸受部には、光ガイドのための湾曲された止め面を有する下領域が設けられ得る。
【００３６】
好ましい効果的な実施形態では、軸受は、２つに分かれた軸受部から成る。これによって、２つの軸受部の一方の中に位置でき、他方の軸受部が上に設けられ得る光ガイドの容易な装着が可能になる。
【００３７】
特に、内側軸受部全体と外側軸受部の第１の部分とは、２つの軸受部のうち一方と共に、もしくはこれの中に形成され得る。外側軸受部の第２の部分は、外側軸受部と共に、もしくは、これの中に形成されている。かくして、光ガイドは、１つの軸受部内に完全に受けられ、他方の軸受部は、外側軸受部を完成させるように機能する。この実施形態は、光ガイドが第１の軸受部内に予め装着され得ることから、装着が容易である。
【００３８】
光ガイドのための開口部もしくは通路には、この実施形態では、好ましくは開口部もしくは通路よりも幅もしくは直径が小さい光ガイドのためのガイド通路を通じてアクセス可能である。かくして、ガイド通路を通じて光ガイドを挿入した後は、光ガイドを開口部もしくは通路内に挿入した状態に維持できる。
【００３９】
ガイド通路は、スペーサもしくは止めラグとして機能する他方の軸受部の突出部によって閉じられ、光ガイドが外側軸受部に接触しないようにする。
【００４０】
各軸受部は、好ましくは、対応する保持部内に保持されている。
【００４１】
内側軸受部が反転可能に変形することは、弾性的に変形する特性、もしくは、代わりに、形状記憶の特性を与えることによって果たされる。形状記憶材料の場合、この材料は、特に特定の活動によって、材料の“記憶”に記憶された最初の形状に戻る。このような材料として、いわゆるメモリー合金（memory alloy）が使用され得る。
【００４２】
しかしながら、好ましい実施形態は、弾性を有した柔らかい材料を選択する、並びに／もしくは、ばねタイプの部材の曲げを可能にする材料が少ない領域を提供する点で特徴付けられる。弾性材料として、好ましくは、エラストマー、特に熱可塑性エラストマーが選択される。好ましくは、軸受とこれの部分とが夫々異なる２つの材料でできた完成部品もしくは混合物を形成するように、射出成形、特に両面射出成形によって成形される。
【００４３】
軸受、少なくともこれの内側軸受部の材料のShore A 値は、典型的には、２０乃至９０である。このような柔らかい材料は、光ガイドにかかる力を相当に減じる。内側軸受部の弾性もしくは柔軟性は、言うまでもなく、光ガイドの弾性もしくは柔軟性よりも高い。かくして、光ガイドが変位されたときに変形されるのは、基本的に内側軸受部のみで、光ガイドは変形されない。
【００４４】
光ガイドは、多くは、装着ポイントもしくは軸受から離れた領域で、軸受の少なくとも一側に装着されている。かくして、軸受の対向側での光ガイドの曲げは、この装着ポイントと軸受との間の光ガイドの曲げを招く。通常の位置では、光ガイドは、通常は、装着ポイントと軸受との間で直線に沿ってアラインメントされる。
【００４５】
装着手段と軸受との間の距離を調節することによって、軸受の他方の側で、光ガイドの最大の変位が調節され得る。
【００４６】
また、特に光ガイドの装着に関連して、光ガイドは、一端で光電変換器に光学的に接続され得る。このとき、特に接着剤によって、光電変換器が装着され、並びに／もしくは、光ガイドが分離ポイントで装着される。
【００４７】
用語“光電”は、光もしくは光学信号に電流もしくは電気信号を変換することだけでなく、光もしくは光学信号を電流もしくは電気信号に変換することをも含む。光ガイドに光電変換器が設けられ、光学的に接続されたときに、変換器のためのハウジングもしくはカバーを設けることができ、続いて、軸受を支持する通路もしくは開口部が形成され得る。光ガイドを案内し、これを機械的なストレスから保護し、曲げるハウジングもしくはカバーの通路は、この実施形態では、２つの分かれたハウジング部に好ましくは２つの対応する切込み部を有し、これらは、装着されたときに、光ガイドのための開口部を形成する。この開口部もしくは各切込み部内で、高弾性の柔らかいボディなどの好ましくは弾性軸受部が、設けられ、これらが、開口部内の光ガイドのためのほぼループもしくはリング形の軸受を形成する。この実施形態では、変換器を装着する間にグラスファイバーに損傷を与えずにグラスファイバーを最大に曲げることが可能である。
【００４８】
光ガイドは、既に説明されているように装着されると、特に変換器からもしくはこれに向けて光ガイドにかけられる引っ張りストレスが減じられる。
【００４９】
光ガイドを保持する装置は、また、互いに離間された複数の軸受を有する。離間される各距離は、光ガイドもしくは開口部もしくは光ガイドのための通路の直径の少なくとも５倍であると好ましい。軸受間の距離、軸受の柔軟性もしくは変形性、ディメンション並びに／もしくは機械抵抗もしくは軸受の軸受力を選択することによって、光ガイドに沿った曲率の分配もしくは規定された特徴とが、得られる。複数の異なる軸受のカスケードは、特に光ガイドの装着領域もしくは端部では小さな曲りを有するより滑らかな特徴を得るために用いられ得る。
【００５０】
本発明の装置の１応用例は、光電気受信器もしくは送信器、もしくは、電気増幅器、特にCATVもしくはケーブルテレビジョン増幅器に接続された光電気受信及び送信器のような光電気“ハイブリッド”装置のための、もしくは、これの中のものである。
【００５１】
しかし、保持装置の他の応用例、例えば、電気通信もしくは他の目的の接地のための光学ケーブルの保持なども、可能である。
【００５２】
本発明の様々の特徴と利点とが、添付図面に関連してなされた次の詳細な説明を参照することによって、よりよく理解されるだろう。
【発明を実施するための最良の形態】
【００５３】
図１から図８まで、同じ部品は同じ参照符号で示されている。本明細書における“一実施形態”（“one embodiment”もしくは“an embodiment”）との表現は、所定の実施形態に関連して説明された特定の外形、構造もしくは特徴が、本発明の少なくとも１つの実施形態のうちに含まれることを意味する点に注意したい。明細書の至るところに“一実施形態”という表現が出てくるが、必ずしも同じ実施形態を参照しているわけではない。
【００５４】
従来の光電変換器（即ち、光検出器）は、参照符号２０で示され、フォトダイオード（もしくは光検出器ダイオード）２２（特にPINフォトダイオード）を収容したボディ即ちハウジングと、フェルール（即ち保持スリーブ）２４と、光学信号もしくは光信号をフォトダイオード２２に伝えるグラスファイバーの端部（もしくはその他の光ガイド）２６とを有している。フォトダイオードは、伝えられた信号を電気信号に変換する。フォトダイオード２２を封入しているボディは、セラミックなどで形成され、好ましくは、フェルール２４及びグラスファイバー２６と直交するように延びている。よって、Ｔ字形もしくはハンマー系の構造の光電変換器２０が得られる。フォトダイオード２２を収容したセラミックボディの上部には、２つの電気接触部２０Ａと２０Ｂが互いに離間されて配置されており、フォトダイオード２２のフォト電圧もしくは電流がここで検出され得る。
【００５５】
特定の信号処理装置として、従来のケーブルテレビ増幅器即ちCATV増幅器が示され、参照符号１０で示されている。この増幅器は、通常は平らで大抵の場合は長方形の基板１１と、この基板１１を支持し、SOT115国際基準に従ったディメンションを支持した基板キャリヤーボディ１７とを有する。
【００５６】
電子もしくは電気信号処理並びに／もしくは増幅回路１２が、基板１１上に形成されている。この基板は、厚膜もしくは薄膜技術によって、プリント回路基板もしくは他のプリント基板として、もしくは、これによって形成され得る。通常、増幅回路は、シリコンもしくは砒化ガリウムでできた半導体装置を備えた様々のカスコード（cascode）ステージの増幅器、並びに／もしくは、支持回路を有する。また、導体が基板１１上に装着され、電子回路１２を２つの電気接触部１１Ａ及び１１Ｂへと接続している。これによって、基板は、光電変換器２０の対応する接触部２０Ａ及び２０Ｂ及び複数の他の電気接触部１１Ｃ乃至１１Ｋと接続され、そして、電気接触部１１Ｃ乃至１１Ｋによって、基板キャリヤーボディ１７の一側面で下方に向かって、信号の入力部、出力部、バッテリー（電源）及び接地接続部へと導かれている。
【００５７】
通常、基板キャリヤーボディ１７は、作動する電子素子もしくは回路１２によって基板１１に発生された熱を放熱させるように、支持部としてだけでなく基板１１のためのヒートシンク即ち冷却ボディとしても機能するために、金属、もしくは、よい熱伝導性を有する他の材料で作られる。SOT115の形の基板キャリヤーボディ１７は、増幅器ハウジング（図示されず）へのねじ接続のためにねじ孔１３及び１４を各々が備えた２つの高くなった端部もしくは外側部と基板１１が装着される中央部とを有した対称形状を有する。端部と中央部との間には、中央領域に隣接して、内部接続孔１５Ａと２つの外側接続孔１６Ａ及び１６Ｂ、内部接続孔１５Ｂと２つの外側接続孔１６Ｃ及び１６Ｄを夫々備えた２つの中間領域が形成される。２つのねじ孔１３と１４との間の距離は、SOT115基準によって決定される。
【００５８】
図１では、光電変換器２０を信号処理装置に配置させる装置の好ましい実施形態の全部品、即ち、増幅器の基板１１、即ち、回路１２が、装着前の状態で表わされている。この装置は、光電変換器２０を支持及び保持する変換器キャリヤー３と、変換器キャリヤー３を支持及び固定するキャリヤーホルダー５（即ち、フレームカバー、下方ハウジング部）と、トップカバー（即ち上方ハウジング部）６と、上方軸受部７１と下方軸受部７２とから成るグラスファイバー２６のための弾性軸受７０とを有する。
【００５９】
変換器キャリヤー３は、フォトダイオード２２を有するセラミックボディを受けるための前領域３０と、グラスファイバー２６を封入して保護する後領域３１とを有する。変換器キャリヤー３の前領域３０は、フォトダイオード２２を有するセラミックボディが位置される底部３２と、フェルール２４が中を通るように導かれ、横方向に制限されるようにする保持並びに／もしくはアラインメント補助としての２つの側部３３と、フォトダイオード２２を収容したセラミックボディを前部ではめ込んで堅く保持するためのフック形状のスナップ部材３４と、変換器２０を変換器キャリヤー３の中に挿入するための開口部３５とを有する。変換器キャリヤー３の後領域３１は、グラスファイバー２６のための通路を有し、この通路は、底部以外が閉じられるように壁を有し、グラスファイバー２６のための２つの開口部が形成され、また、上部に任意の接着のための接着孔３６を有しており、これらによって、装着されたときに、導入されたグラスファイバー２６を変換器キャリヤー３の中と、好ましくはキャリヤーホルダー５とに永久的に固定する。
【００６０】
光電変換器２０を変換器キャリヤー３の中に取り付けるために、光電変換器２０を、図２に示され得るように、フォトダイオード２２を収容したセラミックボディを先頭にして、光軸が底部３２に直交する向きになるように、下から底部３２の開口部３５の中に導入する。続いて、光電変換器２０は、セラミックボディとフォトダイオード２２とがこれの先頭部が底部３２に向かうように回転される。スナップ部材３４は、後方に湾曲され、即ち変形されており、これによって、変換器２０がこれを通った後、弾性ばねの力、通常は所定の残りのばね圧力によって、フォトダイオード２２を有するセラミックボディ上の静止位置へと後方にはめ込む。同時に、この回転動作によって、光学グラスファイバー２６が、下から変換器キャリヤー３の後領域３１の通路中へと導入される。
【００６１】
スナップ部材３４はまた、フォトダイオード２２を収容したセラミックボディと、かくして変換器２０とを固定する留めラグとして機能する。スナップ部材３４と側部３３とは、変換器２０がいずれの方向にも落ちないように保持する封入もしくは保持部を共に形成する。かくして、光電変換器２０は、変換器キャリヤー３内に堅く保持されるが、図２に示された工程を逆に行うことによっていつでも取り外しできる。
【００６２】
図３は、図２に従って装着され、変換器３が変換器キャリヤー３内に取り付けられた状態の変換器ユニットを示す等尺正面図である。
【００６３】
図１を参照すると、キャリヤーホルダー（即ちフレームカバー）５は、長方形のフレームとして成形され、閉じた側壁５０と、底部のこの側壁５０の隣に変換器キャリヤー３のための変換器プラットフォーム５４とを有するが、上部は開いており、即ち、カバーもしくはルーフを有していない。変換器プラットフォーム４３の、側壁５０から離れた内側には、フック形状のスナップ部材５３が位置され、キャリヤーホルダー５の底部から上部へ垂直方向に延びている。また、変換器プラットフォーム５４の一端では、横木即ちバー５５が、変換器プラットフォーム５４と同じ長辺の側壁５０からこれに直交する方向に延びている。
【００６４】
切込み部即ち開口部（即ち通路）５１が、軸方向かつ、前記長辺の側壁５０に平行に、この長辺に直交する側壁５０の短辺内に形成されている。キャリヤーホルダー５内では、開口部５１の裏の内側に、２つの垂直方向の溝部と、下方軸受部７２を受けるための底部とによって、受け部５２が形成されている。開口部５１の下には、第１のアラインメント補助５６が形成され、側壁５０から外方かつ垂直方向に突出している。また、第１のアラインメント補助に似た第２のアラインメント補助５７が、同じ短辺の真中あたりに形成されている。
【００６５】
側壁５０の２つの短辺には、２つのピン５Ａ及び５Ｂ（５Ｂのみ図１に見られる）が形成され、下方に向けて側壁５０に平行に延び、キャリヤーホルダー５の残りの部分から離れて突き出ている。これら２つのピン５Ａ及び５Ｂは、キャリヤーホルダー５を基板キャリヤーボディ１７上、よって増幅器１０の上に装着する際にこれらが同時に基板キャリヤーボディ１７の対応する内孔１５Ａ及び１５Ｂの中に挿入され得るような直径及び相互間の間隔を有するように形成されている。
【００６６】
トップカバー６は、キャリヤーホルダー５の上並びに／もしくはこれを囲み、これによって、変換器３を保護するハウジングを形成するように、基本的には長方形のボックス形に成形されている。トップカバー６は、ハウジングの下部となるキャリヤーホルダー５の上部を形成する。トップカバー６の長辺は、キャリヤーホルダー５の長辺の側壁５０の外側の対応する基部５８上に静止する凹端部６８を有する。トップカバー６とキャリヤーホルダー５の相対位置をアラインメントするために、トップカバー６は、キャリヤーホルダー５の第１のアラインメント補助５６を受けてガイドする長い開口部６１と、第２のアラインメント補助５７を受けてガイドする短い開口部６７とを有する。トップカバー６の閉じた天井即ち上壁には、上軸受部７１を受けるために、キャリヤーホルダー５の受け部５２に類似した受け部（図示されず）が形成されている。
【００６７】
トップカバー６の短い側壁には、２つのピン６Ａ及び６Ｂ、６Ｃ及び６Ｄが、夫々配置され、どれも下方に延び、また、トップカバー６と基板キャリヤーボディ１７とを接続するために、この基板キャリヤーボディ１７の外側接続孔１６Ａ及び１６Ｂ、１６Ｃ及び１６Ｄの中に夫々挿入されるように意図されている。
【００６８】
図４は、装着される変換器ユニットを示す後面図である。図４では、図１に示された最初の状態と比較すると、下方軸受部７１が、キャリヤーホルダー５の対応する受け部５１のなかに既に装着されている。また、他の軸受部７２も、トップカバー６の開口部６１の裏の対応する受け部（図示されず）の中に装着されている。
【００６９】
変換器キャリヤー３内に取り付けられた光電変換器２０は、保持のための補助として機能するスナップ部材５３及びバー５５を用いて、取り外し可能なように、キャリヤーホルダー５の変換器プラットフォーム５４の中もしくは上に取り付けられ得る。このために、スナップ部材５３は、後方に曲げられており、変換器キャリヤー３をはめ込んだ後で跳ね返り、所定の残余ばね力によって側壁３３上に静止する。このように、変換器キャリヤー３が、側壁５０とスナップ部材５４との間で横方向に、また、側壁５０とバー５５との間で縦方向即ち軸方向に固定される。
【００７０】
図５及び６は、このような方法でキャリヤーホルダー５の中に保持された変換器キャリヤー３を示す。
【００７１】
変換器プラットフォーム５４の保持用補助（５０、５３及び５５）と変換器キャリヤー３の補助（３３、３４）によって、変換器２０が保持され、接着剤を用いて、もしくは用いずに取り付けられる。接着剤が用いられない場合は、後の硬化処理を行わずにすむ。また、接着剤が用いられる場合は、接着孔３６を通じて接着剤が塗布されるので、変換器を揃える、即ち、硬化処理時間の合間に変換器２０をこれの位置に保持するための付加的なツールを必要としない。
【００７２】
そして、図６に示されているように、変換器キャリヤー３が取り付けられたキャリヤーホルダー５が、これのピン５Ａ及び５Ｂを対応する接続孔（即ちめくら穴）１５Ａ及び１５Ｂの中に挿入し、縁部を有するキャリヤーホルダー５を基板キャリヤーボディ１７の上面に静止させることによって、基板キャリヤーボディ１７に取り付けられる。ピン５Ａ及び５Ｂは、対応する接続孔１５Ａ及び１５Ｂと等しいか、これより僅かに小さいか大きい直径を有する。これによって、ピン５Ａ及び５Ｂは、対応する孔１５Ａ及び１５Ｂのなかに丁度フィットし、かくして、キャリヤーホルダー５とヒートシンクもしくは基板キャリヤーボディ１７及び基板１１とを適当に揃えさせることができる。
【００７３】
従って、例えば増幅器１０が故障して取り外さなくてはならないときも、キャリヤーホルダー５は、基板キャリヤーボディ１７から容易に取り外しできる。この場合、最も効果的な光電変換器２０を有するキャリヤーホルダー５は、基板キャリヤーホルダー１７から分離され、他のよい増幅器内で再び使用され得る。
【００７４】
図６に示されているように、光電変換器２０が、キャリヤーホルダー５によって決定された距離を置いて、基板１２の上方、特に電気接触部１１Ａ及び１１Ｂの上方に保持される。これによって、これらの接触部１１Ａ及び１１Ｂは、フォトダイオード２２の接触部２０Ａ及び２０Ｂに容易に接続され得る。光電変換器２０のグラスファイバー２６が、下方軸受部７２内に保持され、キャリヤーホルダー５の開口部５１を通ってガイドされる。
【００７５】
図７を参照すると、キャリヤーホルダー５の上部に装着されたトップカバー６、即ち、フレームカバーを有する完成された取り付け装置アッセンブリー１００が示されている。キャリヤーホルダー５には、変換器キャリヤー３内に組み込まれた光電変換器２０（どちらも図７には示されず）が取り付けられる。変換器キャリヤー３は、キャリヤーホルダー５の変換器プラットフォーム５４（図７には図示されず）上に留められる。完成したアッセンブリーは、基板キャリヤーボディ１７に、かくして増幅器１０、特に、本発明に係る基板１１上の増幅回路１２に取り付けられる。
【００７６】
図８には、図７に係るこのアッセンブリーの側面図が示されている。
【００７７】
図７に係る取り付けられたトップカバー６は、増幅器１０と、基板１１の回路１２とを機械的に保護する。
【００７８】
図７及び８に係るトップカバー６は、キャリヤーホルダー５上に、部分的にこれを覆うように装着されている。カバー６は、キャリヤーホルダー５を基板キャリヤーボディ１７に堅く取り付ける。具体的には、４つのピン６Ａ乃至６Ｄが、キャリヤーホルダー５の２つのピン５Ａ及び５Ｂと逆に、基板キャリヤーボディ１７の対応するめくら穴１６Ａ乃至１６Ｄの中に堅くもしくは押し入れられることによって、カバー６は、キャリヤーホルダー５を保持及び固定する。
【００７９】
他の実施形態では、キャリヤーホルダー５のピン５Ａ及び５Ｂは、直径が比較的大きく、キャリヤーホルダー５を固定するために、基板キャリヤーボディ１７のめくら穴もしくは接続孔１５Ａ及び１５Ｂの中にプレスされ得る。
【００８０】
ピン５Ａ、５Ｂ及び６Ａ乃至６Ｄは、好ましくは、特に対応するめくら穴との受動的な接続によってばね力もしくは十分な変形を得られるように中空にされている。
【００８１】
受動的なピンホール接続部の１つを緩めるには、ドリルツールなどを用いて、ピン５Ａ及び５Ｂ、並びに／もしくは、６Ａ乃至６Ｄを壊し、続いて、全部品、即ち、キャリヤーホルダー５もしくはトップカバー６を引き出すことが都合よい。
【００８２】
かくして、図７のアッセンブリーは、装着とは逆の順番で、ピン６Ａ乃至６Ｄをドリルで穴開けし、トップカバー６を取り外し、図６に示された状態に再び戻すことなどにより、非常に容易に分解され得る。
【００８３】
図１乃至図７に係る装置では、変換器２０を、この変換器２０並びに／もしくはグラスファイバー２６がプロセス中に損傷を受けるリスクを最少限しか与えずに増幅器１０から容易に取り外すか、これを再利用することができる。これは、変換器２０とグラスファイバー２６とが典型的には増幅器１０の残りの部分よりも相当に高価であることから、特に効果的である（おおよそ２から３だけ）。従って、光学受信モジュールの増幅部１０に欠陥があることが分かった場合は、変換器２０を、フレームカバー、即ち、キャリヤーホルダー５と共に、欠陥のある増幅器１０から取り外しでき、また、他の増幅器内で再利用することもできる。
【００８４】
図７及び８に示された実施形態では、切込み部即ち“ポケット”もしくはキャリヤーホルダー５及びトップカバー６の開口部５１及び６１は、グラスファイバー２６のための閉じた開口部即ち通路、即ち、繊維出口ゲートを集合的に形成する。
【００８５】
この開口部即ち繊維出口ゲート内で、２つの弾性軸受部７１及び７２が、柔らかいか可撓性を有するリング形状の、もしくは、閉じた軸受７０を、グラスファイバー２６のために集合的に形成する。２つの弾性軸受部７１及び７２は、図８に示されるように、リングの半体を補完し合って共にグラスファイバー２６のための開口部を形成するように、もしくは、２つの軸受部の１つ、特に下方の軸受部７２として成形され得る。また、これらは、オプティカルファイバー２６を受けることができ、他の軸受部７１は、第１の軸受部７２を支持するか補完する。軸受７０とグラスファイバー２６との間の接触領域即ち表面の長さは、グラスファイバー２６の光軸に沿って測定すると、特に、少なくとも２だけ、グラスファイバー２６の直径よりも短い。
【００８６】
軸受７０の閉じられた弾性リングは、グラスファイバー２６をガイドし、また、トップカバー６の内部の曲げが続いている間にトップカバー６の外部から曲げ応力が加えられる場合はグラスファイバーの回転の中心になる。かくして、２つの半体、即ち、ゴム製軸受７０の軸受部７１及び７２は、繊維出口ゲートで共に働き、繊維の撓み得る固定部を提供する。これによって、グラスファイバーが、例えば基板キャリヤーボディ１７から離れるように曲げられた場合、回転の影響の中心は、繊維出口ゲートとなる。
【００８７】
可撓性軸受７０は、光電気ハイブリッド装置の装着中に、グラスファイバーの曲げを最大に許容する。即ち、軸受７０の弾性と柔かさとは、トップカバー６の外部からグラスファイバー２６に曲げ応力が加えられたときに、グラスファイバー２６が内部の、軸受７０のあたりで回転し得るほどに非常に高い。かくして、繊維は、軸受７０によっては堅く固定されず、回転の中心のみで揃えられる。従って、カバー５及び６の外部でのグラスファイバー２６の全ての曲げが、繊維２６が、カバー５及び６の内部を幾分動くようにする。曲げ半径は、いかなる場合でも最小にされ、かくして、例えば光学受信モジュールの装着中にグラスファイバー２６に損傷を与えるリスクを相当に減じることができる。
【００８８】
図９は、グラスファイバー（光ガイド）２６（図９には示されず）のための図１、４及び６の軸受７０を更に詳しく示す。図１０、図１１は、下方軸受７２を夫々異なる図で示し、図１２並びに１３は、上方軸受部７１を夫々異なる図で示す。
【００８９】
軸受７０は、光ガイド（図９乃至１３には示されず）を開口部７６内に受ける下方軸受部７２と、この下方軸受部７２の上に設けられる上方軸受部７１とを有する。
【００９０】
前記開口部７６は、薄いゴム縁部、膜、もしくは、皮膜内に形成され、内側軸受部７３を形成する。開口部７６は、Ｕ字もしくはＶ字形の内側軸受部７３のほぼ中央部に位置しており、光ガイドを開口部７６内に保持するために開口部７６より小さくされた断面を有するガイド部７７を通して、光ガイドを受け入れることが可能である。かくして、グラスファイバー２６は、ガイド部７７を通して開口部７６の中に挿入され、開口部７６の中に保持される。
【００９１】
開口部７６の直径Ｄは、内側軸受部７３の程よく規定されたストレス、並びに／もしくは、シール特性を果たすために、対応するディメンションを有し、典型的には、グラスファイバー２６の直径よりも、特に５％から３０％だけ小さい。直径Ｄの典型的な値は、０．３乃至０．８ｍｍである。
【００９２】
薄い内側軸受部７３は、下方軸受部７２の側部７４内のこれとの境界部で保持されている。内側軸受部７３の両側には、グラスファイバー２６に対して長手方向即ち軸方向に延びた２つの前部７５が、挿入された光ガイド２６が撓められたときにこれを止めるための湾曲止め面を各々に有するように形成されている。
【００９３】
上方軸受部７１は、下方軸受部７２の側部７４及び前部７５に対応した２つの側部８４及び２つの前部８５を有する一体的なピースとして形成されている。側部８４は、各々、下方平面８４Ａで、下方軸受部７２の対応する各平面７４Ａ上に配置され得る。前部８５は、開いた側部７５を閉じて、閉じたループ即ちリング形状の外側軸受部を形成する。
【００９４】
上方軸受部７１には、内側軸受部７３のガイド部７７に適合し、光ガイドを開口部７６の中に維持し、スペーサとして前部７５及び８５から離間させた状態に維持し、繊維２６の３次元の動きを支持するようにガイド部７７を閉じる突出部７８が更に設けられている。突出部７８は、開口部７６とガイド部７７とから成る鍵穴形の通路と共に、アッセンブリージグとしてグラスファイバー２６の自己アラインメントのために機能する。
【００９５】
Ｖ字もしくはＵ字形の前部７５、かくして、止め手段７５Ａと内側軸受部７３との開口角度は、ほぼ３０°となるように選択されるのが好ましい。２つの軸受部７１と７２が非対称であるのにも関らず、Ｕ字／Ｖ字形の内側軸受部７３は、上方軸受部７１の対応する突出部７８と共に、ほぼ対称の力を光ガイドに与えるようにする。
【００９６】
理想的には、軸受７０もしくは少なくともこれの内側軸受部７３の弾性材料として、特に、ゴムもしくは他のエラストマーなどの弾性を有して好ましくは非常に柔らかい材料が選択される。かくして、２つのゴム半体、即ち、軸受部７１及び７２から成るゴム製ガイド部によって、グラスファイバー２６にかけられる力が小さくされる。
【００９７】
軸受７０、少なくとも内側軸受部７３のための弾性材料は、典型的には２０乃至９０のShore A値を有するのが好ましい。例えば、液状シリコン・ゴム（LSR）、SI、SIS、NRもしくはラテックスゴム、EPMのようなエチレン-プロピレンポリマーをベースにしたポリマー、EPDM（エチレン―プロピレン―ジエン（dien））ゴムもしくはNBRゴムなどである。
【００９８】
下方軸受部７２及び上方軸受部７１の全体を、特に熱可塑性エラストマーを１もしくは２つの工程で射出成形することによって、エラストマーでできた一体的なピースとして形成してもよい。内側軸受部７３が側部７４と前部７５とから成る外側軸受部よりも高い弾性を有することは、この実施形態では、内側軸受部７３が外側軸受部７４及び７５と異なる厚さ及びディメンションを有することによって主に果たされる。かくして、内側軸受部７３は、外側軸受部７４及び７５よりも容易に変形され得る。
【００９９】
図１４は、変換器キャリヤー３の後部３１の通路内に光ガイドとしてグラスファイバー２６が装着されている、変換器キャリヤー５内にある本発明に係る軸受を示す。グラスファイバー２６は、ハウジングもしくは変換器キャリヤーの外に向けて撓められている。曲げられていない通常の状態のグラスファイバー２６の軸は、Ａで示されている。
【０１００】
グラスファイバー２６は、図１４に示されているように曲げられた状態のとき、元の光軸Ａに対して角度αをつけられた光軸Ｂによって示されたこれの長手方向もしくは光学方向を有し、軸受７０内及びこれを過ぎると、この光軸Ｂから離れるように曲げられている。かくして、一側で曲げられたグラスファイバー２６は、ピボット運動可能なレバーと比較可能に、軸Ａによって規定された位置から軸Ｂによって規定された位置まで軸受７０内でピボット運動する。
【０１０１】
図１４に明らかに示され得るように、内側軸受部７３は、相当程度まで変形されて、グラスファイバー２６の反対側の軸受部もしくは内側軸受部７３の２つの側部が、反対の方向に変形される。かくして、グラスファイバー２６は、ハウジング即ちキャリヤーホルダー５内のキャリヤーホルダー３の後部３１の装着ポイントと軸受７０との間で、ハウジング５の外もしくは軸受７０の両側と同じ曲率符号（正もしくは負）を有して湾曲される。従って、軸受７０の内側軸受部７３が変形することによって、グラスファイバー２６の曲げ半径が大きくなり、曲げストレスが減じられる。
【０１０２】
図１５、１６において、従来技術に係る軸受（図１５）と、本発明に係る軸受（７０）（図１６）との間の比較ができる。
【０１０３】
図１５に係る従来技術の解決法では、グラスファイバー２６は、ゴム管によって軸受内に受動的に装着されて保持されている。グラスファイバー２６は、ｙで示される変位方向に変位される。ｘの方向もしくは座標は、グラスファイバー２６の、軸受からの対応する距離であり、ｙ軸に直交し、軸受内の繊維２６の長手方向軸に対して平行である。繊維２６は、距離ｘ０のポイントで、許容範囲内で最大の曲率で撓められるように支持されており、対応する変位ｙ０が示されている。
【０１０４】
図１６では、同じグラスファイバー２６は、図９乃至１４に関って軸受７０内に保持され、図１５に示されるのと同じ変位ｙ０を有して変位されている。示され得るように、グラスファイバー２６が軸受の他の側でも変位されていることから、図１５のポイント（ｘ０、ｙ０）と同じ曲率を有する図１６のポイント（ｘ１、ｙ０）の距離ｘ１は、ｘ０よりも短い。距離Δ＝ｘ０―ｘ１は、可撓性を有する軸受７０の利点である。これは、繊維２６が軸受の近くに、しかし、損傷を伴わずに、従来技術と同じ程度ｙ０まで変位され得ることを示す。
【０１０５】
グラスファイバー２６は、全ての実施形態において、単一モードもしくはマルチモードの繊維であってよく、様々の適当な材料で形成され得る。
【０１０６】
全ての実施形態では、変換器キャリヤー３、キャリヤーホルダー５、並びに／もしくは、トップカバー６は、一体的なプラスチック部品、特に射出成形部品として形成されることができ、これによって、安価な製造を可能にし、形状及び機能面でかなりの自由を得ることができる。
【０１０７】
本発明に係るデザインは、特に図１乃至１４に示された実施形態において、付加的な操作ツールを用いる必要なしに、基板１１に対して適当に変換器２０と軸受７０内の光ガイド２６とを揃える能力を提供する。
【０１０８】
図１乃至図１６に示された実施形態の多くの変形例が、本発明の範囲内で実施され得る。例えば、フォトダイオード２２の代わりに、もしくは、これに加えて、異なる光検出器、即ち、電気信号を光即ち光信号に変換する光電変換器が装着されてもよい。例えば、レーザもしくはレーザダイオード即ちＬＥＤは、フォトダイオード２２と同じ方法で信号処理装置に配置され得る。この実施形態は、例えば、双方向CATVシステム内で使用され得る。
【図面の簡単な説明】
【０１０９】
【図１】光電変換器をＣＡＴＶ増幅器に取り付ける取り付けの概略を示す分解斜視後面図である。
【図２】図１の光電変換器を変換器キャリヤーの中に取り付ける取り付け工程を順に示す側面図である。
【図３】図２の取り付け工程を行った後の取り付けられた変換器を有する変換器キャリヤーを示す斜視後面図である。
【図４】図２の取り付け工程を行った後の図１の完全な取り付けの概略を示す分解後面図である。
【図５】キャリヤー上に取り付けられた図３の変換器を示す、キャリヤーホルダーの側壁なしの斜視正面図である。
【図６】図２乃至４に係る変換器ユニットをキャリヤーホルダーの中に、また、キャリヤーホルダーをCATV増幅器に取り付けた後の、トップカバーがない状態の、図４から始まる取り付けの概略即ち装着を示す斜視後面図である。
【図７】トップカバーを装着することによって図５及び図６から始まった装着の完了を示す。
【図８】グラスファイバーのための弾性軸受を有するトップカバーとキャリヤーホルダーとの側面図を更に詳しく示す。
【図９】光ガイドのための図１に係る２つの軸受部の拡大斜視図である。
【図１０】下方軸受部の正面図である。
【図１１】図１０に係る下方軸受部の上からの図である。
【図１２】上方軸受部の正面図である。
【図１３】上方軸受部の側面図である。
【図１４】弾性軸受内に保持されている、湾曲された光ガイドを示す。
【図１５】従来技術に係る軸受内に保持されている、湾曲された光ガイドを示す。
【図１６】本発明に係る装置内に保持されている、湾曲された光ガイドを示す。
【符号の説明】
【０１１０】
３…変換器キャリヤー、５…キャリヤーホルダー、５Ａ、５Ｂ…ピン、６…トップカバー、６Ａ〜Ｄ…ピン、１０…増幅器、１１…基板、１１Ａ、１１Ｂ…接触部、１１Ｃ〜Ｋ…接触部、１２…信号処理回路、１３、１４…ねじ孔、１５Ａ、１５Ｂ…接続孔、１６Ａ〜Ｄ…接続孔、１７…基板キャリヤーボディ、２０…光電変換器、２０Ａ、２０Ｂ…接触部、２４…フェルール、２６…グラスファイバー、３０…前部、３３…側部、３４…スナップ部材、３５…開口部、３６…接着孔、３７…エッジ、５０…側壁、５１…開口部、５３…スナップ部材、５４…変換器プラットフォーム、５５…バー、５６、５７…アラインメント補助、５８…基部、６１…開口部、６７…開口部、７０…軸受、７１、７２…軸受部、７３…内部、７４…外部、７４Ａ…表面、７５…止め部、７５Ａ…表面、７６…開口部、７７…ガイド部、７８…突出部、８４…外部、８４Ａ…表面、８５…止め部、Ａ…主軸、Ｂ…軸、ｘ０、ｘ１、Δｘ…距離、ｙ０…変位。
【図１】
2004533642.tif 000003
【図２】
2004533642.tif 000004
【図３】
2004533642.tif 000005
【図４】
2004533642.tif 000006
【図５】
2004533642.tif 000007
【図６】
2004533642.tif 000008
【図７】
2004533642.tif 000009
【図８】
2004533642.tif 000010
【図９】
2004533642.tif 000011
【図１０】
2004533642.tif 000012
【図１１】
2004533642.tif 000013
【図１２】
2004533642.tif 000014
【図１３】
2004533642.tif 000015
【図１４】
2004533642.tif 000016
【図１５】
2004533642.tif 000017
【図１６】
2004533642.tif 000018
【国際公開パンフレット】
2004533642.tif 000019
2004533642.tif 000020
2004533642.tif 000021
2004533642.tif 000022
2004533642.tif 000023
2004533642.tif 000024
2004533642.tif 000025
2004533642.tif 000026
2004533642.tif 000027
2004533642.tif 000028
2004533642.tif 000029
2004533642.tif 000030
2004533642.tif 000031
2004533642.tif 000032
2004533642.tif 000033
2004533642.tif 000034
2004533642.tif 000035
2004533642.tif 000036
2004533642.tif 000037
2004533642.tif 000038
2004533642.tif 000039
2004533642.tif 000040
2004533642.tif 000041
2004533642.tif 000042
2004533642.tif 000043
2004533642.tif 000044
2004533642.tif 000045
2004533642.tif 000046
2004533642.tif 000047
2004533642.tif 000048
2004533642.tif 000049
2004533642.tif 000050
2004533642.tif 000051
2004533642.tif 000052
【手続補正書】
【提出日】平成15年7月16日(2003.7.16)
【手続補正１】
【補正対象書類名】特許請求の範囲
【補正対象項目名】全文
【補正方法】変更
【補正の内容】
【特許請求の範囲】
【請求項１】
光ガイド、特にオプティカルファイバー、好ましくはグラスファイバーを保持するための装置であって、
ａ１）光ガイドのための開口部もしくは通路が形成された正逆方向に変形され得る内側軸受部と、
ａ２）この内側軸受部よりも変形されない外側軸受部とを有する、
ａ）少なくとも１つの軸受を具備し、
ｂ）前記内側軸受部と外側軸受部とは、内側軸受部が変形することによって光ガイドが軸受内で動かされ得るように形成及び配置され、このような光ガイドの動きは、外側軸受部によって制限され、
ｃ）前記軸受は、２つに分かれた軸受部（７１、７２）から成り、
ｄ）これら２つの軸受部のうち第１の軸受部は、第２の軸受部の上に着脱可能に装着され、２つの軸受部は、このように装着されたときに軸受を共に形成し、外方軸受部の第１の部分は、第１の軸受部に、もしくは、これと共に形成され、外方軸受部の第２の部分は、第２の軸受部に、もしくは、これと共に形成されている装置。
【請求項２】
前記軸受の一側で光ガイドが湾曲もしくは変位されると、内側軸受部が変形し、前記軸受の他側において、内側軸受部とは反対の方向に、光ガイドが湾曲もしくは変形する請求項１の装置。
【請求項３】
前記軸受は、光ガイドのためのピボット領域を提供する請求項１もしくは２の装置。
【請求項４】
前記光ガイドは、軸受の外に移動されると、軸受内の、基本的に移動方向を含むピボット面内でピボット運動する請求項３の装置。
【請求項５】
前記光ガイドは、オフセットもしくはゼロの位置で、内側軸受部が全く、もしくは、最小限しか変形しない状態で、内側軸受部の開口部もしくは通路内に保持されている前記全ての請求項のうちのいずれか１の装置。
【請求項６】
前記光ガイドは、少なくともオフセットもしくはゼロの位置で、好ましくは、全ての位置で、内側軸受部の開口部もしくは通路内に受動的に保持されている請求項５の装置。
【請求項７】
前記開口部もしくは光ガイドは、オフセットもしくはゼロの位置で、特に内側軸受部の中央部において外側軸受部から離間されている請求項５もしくは６の装置。
【請求項８】
前記光ガイドは、オフセットもしくはゼロの位置で、軸受を通る直線の長軸に沿って縦方向に延び、好ましくは、前記内側軸受部は、長軸に対して、少なくとも実質的に横方向に、もしくは、直交するように延びている請求項５乃至７のいずれか１の装置。
【請求項９】
前記内側軸受部の、光ガイドに接触する接触領域の長さは、内側軸受部内で縦方向に延びた光ガイドに沿って測定すると、内側軸受部の開口部もしくは通路の直径よりも小さく、並びに／もしくは、特に少なくとも１．５だけ、好ましくは少なくとも２だけ、光ガイドの直径よりも小さい前記全ての請求項のうちのいずれか１の装置。
【請求項１０】
少なくとも、内側軸受部内で長手方向に延びた光ガイドに直交する方向において、前記内側軸受部の外径と幅は、特に少なくとも１．５だけ、好ましくは少なくとも２だけ、開口部もしくは光ガイドの直径よりも大きい前記全ての請求項のうちのいずれか１の装置。
【請求項１１】
前記外側軸受部には、内側軸受部を保持するための少なくとも１つの側部と、光ガイドの動きを制限するために内側軸受部に対して長手方向に変位された少なくとも１つの前部とが設けられている前記全ての請求項のうちのいずれか１の装置。
【請求項１２】
前記外側軸受部は、光ガイドのための、湾曲した止め面を有する前記全ての請求項のうちのいずれか１の装置。
【請求項１３】
前記内側軸受部の全体は、第１の軸受部に、もしくはこれと共に、もしくは、これの中に形成されている全ての請求項のうちのいずれか１の装置。
【請求項１４】
前記内側軸受部の開口部もしくは通路は、光ガイドをこの開口部もしくは通路に挿入するためのガイド通路によって内側軸受部の周辺領域に接続され、ガイド通路は、好ましくは、開口部もしくは通路よりも小さな幅もしくは直径を有する請求項１３の装置。
【請求項１５】
前記第２の軸受部には、第１の部分のガイド通路の中に挿入され得る、もしくは、挿入された突出部が設けられている請求項１４の装置。
【請求項１６】
前記各軸受部は、対応する軸受保持部内に保持され、対応する軸受部を有する軸受保持部は、互いに取り外され得る前記全ての請求項のうちのいずれか１の装置。
【請求項１７】
前記内側軸受部及び外側軸受部、並びに／もしくは、前記２つの軸受部の各々は、エラストマー、特に熱可塑性エラストマーでできており、並びに／もしくは、射出成形、特に、両面射出成形されている前記全ての請求項のうちのいずれか１の装置。
【請求項１８】
前記内側軸受部は、２０乃至９０のShore A値を有する前記全ての請求項のうちのいずれか１の装置。
【請求項１９】
光ガイドを軸受の一側に装着するための装着手段（３）を更に具備し、この装着手段は、軸受から離間されている前記全ての請求項のうちのいずれか１の装置。
【請求項２０】
互いに離間された光ガイドのための複数の軸受を有する、前記全ての請求項のうちのいずれか１の装置。
【請求項２１】
光ガイド、特にオプティカルファイバー、好ましくはグラスファイバーを保持するための装置であって、
ａ１）光ガイドのための開口部もしくは通路が形成された正逆方向に変形され得る内側軸受部と、
ａ２）この内側軸受部よりも変形されない外側軸受部とを有する、
ａ）少なくとも１つの軸受を具備し、
ｂ）前記内側軸受部と外側軸受部とは、内側軸受部が変形することによって光ガイドが軸受内で動かされ得るように形成及び配置され、このような光ガイドの動きは、外側軸受部によって制限され、
ｃ）前記内側軸受部内の開口部もしくは通路は、光ガイドをこの開口部もしくは通路に挿入するためのガイド通路によって内側軸受部の周辺領域に接続され、ガイド通路は、好ましくは、開口部もしくは通路よりも小さな幅もしくは直径を有する装置。
【国際調査報告】
2004533642.tif 000053
2004533642.tif 000054
2004533642.tif 000055